(57)【要約】【課題】増設しやすく安定性を確保しやすいハンガーバー増設装置、およびハンガーバー増設装置を適用したハンガーバー設備を提供する。【解決手段】ハンガーバー増設装置１は、第１ハンガーバー５に掛けられる鉤部１０と、鉤部１０の根元から垂直方向で下方に延びる垂下部１２と、垂下部１２の先端で第２ハンガーバー６に連結する連結部１４と、を備える。また、ハンガーバー増設装置１は、第１ハンガーバー５と鉤部１０とを整合させる整合部２０を備える。鉤部１０は、逆Ｕ字形の湾曲部分の中央に位置する頂部１６から互いに反対側へ延び、第１ハンガーバー５の両側に位置する。鉤部１０の一方は、第１ハンガーバー５の近くで終端し、鉤部１０の他方は、下方へ更に延長し、途中で頂部１６の下方へ屈曲し、頂部１６の下方で垂下部１２へ続く。【選択図】図１
2019037296.tif 000002
【特許請求の範囲】
【請求項１】
第１ハンガーバーに掛けられる鉤部と、前記鉤部の根元から垂直方向で下方に延びる垂下部と、前記垂下部の先端で第２ハンガーバーに連結する連結部と、を備えるハンガーバー増設装置であって、
前記第１ハンガーバーと前記鉤部とを整合させる整合部を備え、
前記整合部は、前記鉤部を受けて保持する鉤受け部と、前記鉤受け部の下方で前記第１ハンガーバーに載置される載置部と、を備えること
を特徴とするハンガーバー増設装置。
【請求項２】
請求項１に記載のハンガーバー増設装置であって、
前記載置部は、第１開口幅を有する第１開口部から上方に湾曲した第１湾曲部と、前記第１湾曲部の下方に位置し、前記第１開口幅より大きい第２開口幅を有する第２開口部から上方に湾曲した第２湾曲部と、を備えること
を特徴とするハンガーバー増設装置。
【請求項３】
請求項２に記載のハンガーバー増設装置であって、
前記載置部は、前記第１湾曲部と前記第２湾曲部との間に、前記第１開口部から下方に延びた垂直部が前記第２湾曲部と交差して形成する疑似矩形部を備えること
を特徴とするハンガーバー増設装置。
【請求項４】
請求項１から請求項３までのいずれか一つに記載のハンガーバー増設装置であって、
前記鉤受け部は、前記鉤部に向き合う半円弧状で前記鉤部の一部が嵌められる嵌め込み溝を有する溝状円弧部と、前記溝状円弧部を支える逆Ｕ字形の支持部と、を備えること
を特徴とするハンガーバー増設装置。
【請求項５】
請求項４に記載のハンガーバー増設装置であって、
前記溝状円弧部の中央部は、上方に突出して前記鉤部を両側から挟持する挟持部を備えること
を特徴とする
【請求項６】
請求項１から請求項５までのいずれか一つに記載のハンガーバー増設装置であって、
前記整合部は、前記第１ハンガーバーの長さ方向と交差して位置する板状の外壁を有すること
を特徴とする
【請求項７】
請求項１から請求項６までのいずれか一つに記載のハンガーバー増設装置であって、
前記整合部は、合成樹脂成形物であること
を特徴とするハンガーバー増設装置。
【請求項８】
請求項７に記載のハンガーバー増設装置であって、
前記載置部は、前記鉤受け部より硬度が低いこと
を特徴とするハンガーバー増設装置。
【請求項９】
請求項８に記載のハンガーバー増設装置であって、
前記載置部は、第１湾曲部、疑似矩形部、あるいは第２湾曲部の内側領域に柔軟性を調節する調節部を有すること
を特徴とするハンガーバー増設装置。
【請求項１０】
第１ハンガーバーと、前記第１ハンガーバーに掛けられるハンガーバー増設装置と、前記ハンガーバー増設装置に保持される第２ハンガーバーと、を備えるハンガーバー設備であって、
前記ハンガーバー増設装置は、請求項１から請求項９までのいずれか一つに記載のハンガーバー増設装置であり、前記鉤部、前記垂下部、前記連結部、および前記整合部を一組とする一対が、前記連結部を介して前記第２ハンガーバーの両端にそれぞれ位置すること
を特徴とするハンガーバー設備。
【発明の詳細な説明】
【技術分野】
【０００１】
本発明は、第１ハンガーバーに第２ハンガーバーを増設するときに利用されるハンガーバー増設装置、およびハンガーバー増設装置が適用されたハンガーバー設備に関する。
【背景技術】
【０００２】
衣服を掛けたハンガーをハンガーバーに掛けて収容する収納方法は、良く知られている。ハンガーおよびハンガーバーを用いた収納方法は、極めて有用である。このような状況から、更に多くの衣服を掛けるために、ハンガーの個数を増やす手段として既存のハンガーバーに追加のハンガーバーを設置することが提案されている（例えば、特許文献１参照。）。
図１０は、特許文献１に開示された従来のハンガー装置の概要を示す模式図である。
ハンガー装置１００は、既存の上位ハンガーバー１０５を備える。上位ハンガーバー１０５には、下位ハンガーバー１０６が追加して設置されている。下位ハンガーバー１０６は、吊ワイヤー１０７を介して上位ハンガーバー１０５に追加されている。上位ハンガーバー１０５は、円筒状であり、円筒の内部に移動駒１０８を備え、移動駒１０８は、吊ワイヤー１０７を保持して上位ハンガーバー１０５の内側を移動できる。ハンガー装置１００は、下位ハンガーバー１０６を利用してハンガーを追加できる。
【０００３】
しかしながら、下位ハンガーバー１０６は、上位ハンガーバー１０５に吊ワイヤー１０７を介して設置されるので、安定性に課題を生じる。このため、ハンガーの取扱いも難しくなるという状況が生じる。
【先行技術文献】
【特許文献】
【０００４】
【特許文献１】特開平５−１６１５３３号公報
【発明の概要】
【発明が解決しようとする課題】
【０００５】
上記したとおり、従来のハンガーバー増設装置においては、増設したハンガーバーの安定性を十分に確保しにくいという課題があった。
本発明はこのような状況に鑑みてなされたものであり、第１ハンガーバーに第２ハンガーバーを増設するときに、増設しやすく安定性を確保しやすいハンガーバー増設装置を提供することを目的とする。
また、本発明は、本発明に係るハンガーバー増設装置を適用することによって安定性を向上しやすいハンガーバー設備を提供することを他の目的とする。
【課題を解決するための手段】
【０００６】
本発明に係るハンガーバー増設装置は、第１ハンガーバーに掛けられる鉤部と、前記鉤部の根元から垂直方向で下方に延びる垂下部と、前記垂下部の先端で第２ハンガーバーに連結する連結部と、を備えるハンガーバー増設装置であって、前記第１ハンガーバーと前記鉤部とを整合させる整合部を備え、前記整合部は、前記鉤部を受けて保持する鉤受け部と、前記鉤受け部の下方で前記第１ハンガーバーに載置される載置部と、を備えることを特徴とする。
したがって、本発明に係るハンガーバー増設装置は、鉤受け部および載置部を有する整合部を、鉤部と第１ハンガーバーとの間に位置させる。このため、ハンガーバー増設装置は、第１ハンガーバーに第２ハンガーバーを増設するときに、増設しやすく安定性を確保しやすい。
【０００７】
また、本発明の一実施の形態に係るハンガーバー増設装置では、前記載置部は、第１開口幅を有する第１開口部から上方に湾曲した第１湾曲部と、前記第１湾曲部の下方に位置し、前記第１開口幅より大きい第２開口幅を有する第２開口部から上方に湾曲した第２湾曲部と、を備えることを特徴とする。
また、本発明の一実施の形態に係るハンガーバー増設装置では、前記載置部は、前記第１湾曲部と前記第２湾曲部との間に、前記第１開口部から下方に延びた垂直部が前記第２湾曲部と交差して形成する疑似矩形部を備えることを特徴とする。
また、本発明の一実施の形態に係るハンガーバー増設装置では、前記鉤受け部は、前記鉤部に向き合う半円弧状で前記鉤部の一部が嵌められる嵌め込み溝を有する溝状円弧部と、前記溝状円弧部を支える逆Ｕ字形の支持部と、を備えることを特徴とする。
また、本発明の一実施の形態に係るハンガーバー増設装置では、前記溝状円弧部の中央部は、上方に突出して前記鉤部を両側から挟持する挟持部を備えることを特徴とする。
また、本発明の一実施の形態に係るハンガーバー増設装置では、前記整合部は、前記第１ハンガーバーの長さ方向と交差して位置する板状の外壁を有することを特徴とする。
また、本発明の一実施の形態に係るハンガーバー増設装置では、前記整合部は、合成樹脂成形物であることを特徴とする。
また、本発明の一実施の形態に係るハンガーバー増設装置では、前記載置部は、前記鉤受け部より硬度が低いことを特徴とする。
また、本発明の一実施の形態に係るハンガーバー増設装置では、前記載置部は、第１湾曲部、疑似矩形部、あるいは第２湾曲部の内側領域に柔軟性を調節する調節部を有することを特徴とする。
【０００８】
また、本発明に係るハンガーバー設備は、第１ハンガーバーと、前記第１ハンガーバーに掛けられるハンガーバー増設装置と、前記ハンガーバー増設装置に保持される第２ハンガーバーと、を備えるハンガーバー設備であって、前記ハンガーバー増設装置は、請求項１から請求項９までのいずれか一つに記載のハンガーバー増設装置であり、前記鉤部、前記垂下部、前記連結部、および前記整合部を一組とする一対が、前記連結部を介して前記第２ハンガーバーの両端にそれぞれ位置することを特徴とする。
したがって、本発明に係るハンガーバー設備は、第１ハンガーバーに対して容易に第２ハンガーバーを増設しやすく、第２ハンガーバーの安定性を向上しやすい。
【発明の効果】
【０００９】
本発明に係るハンガーバー増設装置は、第１ハンガーバーに第２ハンガーバーを増設するときに、増設しやすく安定性を確保しやすいという効果を奏する。
また、本発明に係るハンガーバー設備は、第１ハンガーバーに対して容易に第２ハンガーバーを増設しやすく、第２ハンガーバーの安定性を向上しやすいという効果を奏する。
【図面の簡単な説明】
【００１０】
【図１】本発明の実施の形態１に係るハンガーバー増設装置およびハンガーバー設備の全体を斜め上方から見て模式的に示す斜視図である。
【図２】図１に示したハンガーバー増設装置が備える整合部を拡大して示す拡大説明図であり、（Ａ）は、第１ハンガーバーに沿う方向を正面として見た正面図であり、（Ｂ）は、底面図であり、（Ｃ）は、側面図である。
【図３】鉤部が図２に示した整合部を介して第１ハンガーバーに掛けられた状態を示す模式正面図である。
【図４】鉤部が図２に示した整合部を介して第１ハンガーバー（変形例１）に掛けられた状態を示す模式正面図である。
【図５】鉤部が図２に示した整合部を介して第１ハンガーバー（変形例２）に掛けられた状態を示す模式正面図である。
【図６】本発明の実施の形態２に係る整合部（変形例）を図２（Ａ）に倣って示す正面図である。
【図７】鉤部が図６に示した整合部を介して第１ハンガーバーに掛けられた状態を示す模式正面図である。
【図８】鉤部が図６に示した整合部を介して第１ハンガーバー（変形例１）に掛けられた状態を示す模式正面図である。
【図９】鉤部が図６に示した整合部を介して第１ハンガーバー（変形例２）に掛けられた状態を示す模式正面図である。
【図１０】従来のハンガー装置の概要を示す模式図である。
【発明を実施するための形態】
【００１１】
以下、図面（図１ないし図９）を参照して本発明の実施の形態について説明する。
［実施の形態１］
図１ないし図５を参照して、本発明の実施の形態１に係るハンガーバー増設装置およびハンガーバー設備について説明する。
図１は、本発明の実施の形態１に係るハンガーバー増設装置１およびハンガーバー設備１ｓの全体を斜め上方から見て模式的に示す斜視図である。
ハンガーバー増設装置１は、第１ハンガーバー５に掛けられる鉤部１０と、鉤部１０の根元から垂直方向で下方に延びる垂下部１２と、垂下部１２の先端で第２ハンガーバー６に連結する連結部１４と、を備える。また、ハンガーバー増設装置１は、第１ハンガーバー５と鉤部１０とを整合させる整合部２０を備える。
【００１２】
鉤部１０は、逆Ｕ字形の湾曲部分の中央に位置する頂部１６から互いに反対側へ延び、第１ハンガーバー５の両側に位置する。鉤部１０の一方は、第１ハンガーバー５の近くで終端し、鉤部１０の他方は、下方へ更に延長し、途中で頂部１６の下方へ屈曲し、頂部１６の下方で垂下部１２へ続く。つまり、鉤部１０は、頂部１６の下方に位置する垂下部１２に続く。鉤部１０、垂下部１２、および連結部１４は、一体的に形成される。
垂下部１２は、頂部１６の下方で第１ハンガーバー５の下方に位置する。したがって、鉤部１０、垂下部１２、および連結部１４は、重心のバランスが取りやすく、垂下部１２は、容易に垂直方向に位置しやすくなる。鉤部１０、垂下部１２、および連結部１４を含む全体の重心は、頂部１６の下方に略位置するので、垂下部１２は、垂直方向に位置しやすい。
連結部１４は、種々の形態で垂下部１２を第２ハンガーバー６に連結する。例えば、垂下部１２の先端がＬ字型とされ、Ｌ字型のＬの縦線が垂下部１２の先端であり、Ｌ字型のＬの横線が連結部１４とされる。つまり、連結部１４は、第２ハンガーバー６の両端に位置する位置決め部１８に嵌め込まれて連結される。
位置決め部１８は、垂下部１２と第２ハンガーバー６が確実に連結されるように構成され、垂下方向の縦溝に垂下部１２が嵌められる。また、固定部１９は、連結部１４と位置決め部１８を第２ハンガーバー６にネジ止めにより固定する。
【００１３】
ハンガーバー設備１ｓは、第１ハンガーバー５と、第１ハンガーバー５に掛けられるハンガーバー増設装置１と、ハンガーバー増設装置１に保持される第２ハンガーバー６と、を備える。
ハンガーバー増設装置１は、本発明の実施の形態１、および後述する実施の形態２に係るハンガーバー増設装置１であり、鉤部１０、垂下部１２、連結部１４、および整合部２０を一組とする一対が、連結部１４を介して第２ハンガーバー６の両端にそれぞれ位置する形態となる。
ハンガーバー設備１ｓは、第１ハンガーバー５に対して容易に第２ハンガーバー６を増設しやすく、第２ハンガーバー６の安定性を向上しやすい。
ハンガーバー増設装置１は、１本の第１ハンガーバー５、１本の第２ハンガーバー６に対して、一対（２台）配置される。ハンガーバー増設装置１は、第２ハンガーバー６の両端にそれぞれ配置され、第１ハンガーバー５に掛けられてハンガーバー増設装置１が適用されたハンガーバー設備１ｓとなる。
第１ハンガーバー５は、例えばステンレス丸棒、ステンレス円筒、木製丸棒など、第２ハンガーバー６は例えばアルミニウム合金などで形成されている。
【００１４】
図２は、図１に示したハンガーバー増設装置１が備える整合部２０を拡大して示す拡大説明図であり、（Ａ）は、第１ハンガーバー５に沿う方向を正面として見た正面図であり、（Ｂ）は、底面図であり、（Ｃ）は、側面図である。なお、図２では、第１ハンガーバー５と鉤部１０は、図面の見やすさを考慮して省略される。
整合部２０は、鉤部１０を受けて保持する鉤受け部２２と、鉤受け部２２の下方で第１ハンガーバー５に載置される載置部３０と、を備える。
整合部２０は、第１ハンガーバー５と鉤部１０に沿わせて下方に開放した逆Ｕ字形（上方に凸とされた略半円環状）であり、垂下部１２の上方に位置する第１ハンガーバー５の近くで終端する下端２０ｂを有する。整合部２０は、第１ハンガーバー５の長さ方向に板厚Ｔを有し、第１ハンガーバー５と交差する方向に板状となって位置する。鉤部１０が第１ハンガーバー５に掛けられたとき、頂部１６は鉤受け部２２の中央部２２ｃに位置決めされる。中央部２２ｃは、鉤部１０の頂部１６に向かい合う位置である。
【００１５】
ハンガーバー増設装置１は、既設の第１ハンガーバー５に掛けられる鉤部１０を有し、第１ハンガーバー５と鉤部１０とを整合させる整合部２０を備える。すなわち、整合部２０は、外周側に位置する鉤受け部２２に鉤部１０が掛けられ、鉤受け部２２の下方に第１ハンガーバー５に載置される載置部３０を備える。つまり、鉤部１０と第１ハンガーバー５は、整合部２０を介して連結される。
整合部２０を構成する鉤受け部２２は、鉤部１０の形状を考慮して予め形状が設定される。また、整合部２０を構成する載置部３０は、第１ハンガーバー５の形状（特に大きさ）を考慮して予め形状が設定される。
すなわち、ハンガーバー増設装置１は、安定した状態で鉤部１０を整合部２０に掛けやすく、また、安定した状態で整合部２０を第１ハンガーバー５に載置しやすい。
ハンガーバー増設装置１は、鉤受け部２２および載置部３０を有する整合部２０を、鉤部１０と第１ハンガーバー５との間に位置させる。このため、ハンガーバー増設装置１は、第１ハンガーバー５に第２ハンガーバー６を増設するときに、増設しやすく安定性を確保しやすい。
【００１６】
載置部３０は、第１開口幅Ｗ１を有する第１開口部３２から上方に湾曲した第１湾曲部３４と、第１湾曲部３４の下方に位置し、第１開口幅Ｗ１より大きい第２開口幅Ｗ２を有する第２開口部３６から上方に湾曲した第２湾曲部３８と、を備える。
載置部３０は、第１開口幅Ｗ１を有する第１湾曲部３４と、第１開口幅Ｗ１より大きい第２開口幅Ｗ２を有する第２湾曲部３８と、を備える。第２湾曲部３８は、第１湾曲部３４の下方に位置する。第１湾曲部３４と第２湾曲部３８とは、下方に向けて開放され、第１開口幅Ｗ１と第２開口幅Ｗ２とを有した状態で第１ハンガーバー５に掛けられる。
したがって、ハンガーバー増設装置１において、第１ハンガーバー５が第１開口幅Ｗ１より小さい断面を有するときは、第１湾曲部３４が第１ハンガーバー５に載置され、第１ハンガーバー５が第１開口幅Ｗ１より大きい断面を有するときは、第２湾曲部３８が第１ハンガーバー５に載置される。
このため、ハンガーバー増設装置１は、種々の太さを有する広い範囲の第１ハンガーバー５に適用できるので、適用対象となる第１ハンガーバー５の選択範囲を拡大し、安定した取り付けをしやすくなる。
第１ハンガーバー５は、円柱状あるいは円筒状を有することが多い。したがって、第１湾曲部３４および第２湾曲部３８は、一定の半径を有する円弧状が好ましい。しかしながら、第１ハンガーバー５の断面形状を特に限定するものではない。
【００１７】
整合部２０（載置部３０）は、第１湾曲部３４と第２湾曲部３８との間に垂直部４０を有する疑似矩形部４２を有する。つまり、載置部３０は、第１湾曲部３４と第２湾曲部３８との間に、第１開口部３２から下方に延びた垂直部４０が第２湾曲部３８と交差して形成する疑似矩形部４２を備える。
載置部３０は、第１湾曲部３４と第２湾曲部３８との間に疑似矩形部４２を備えるので、第１ハンガーバー５の断面が円形の場合（図３、図５参照）に限らず、第１ハンガーバー５の断面が第１湾曲部３４から疑似矩形部４２にかけて角丸長方形の一方の角丸部分に相当するような場合（図４参照）に適用しやすい。
つまり、載置部３０は、第１ハンガーバー５の角丸長方形の矩形部分を疑似矩形部４２で位置決めしやすいので、載置部３０は第１ハンガーバー５に対して更に安定した取り付けをしやすくなる。疑似矩形部４２は、第１ハンガーバー５の断面形状に対する適用範囲を更に広げやすくなる。
なお、疑似矩形部４２（垂直部４０）は、省略されても良い。この場合は、下方の第２湾曲部３８と上方の第１開口部３２との交差位置で形状が規定される。概略形状としては、第１湾曲部３４が頭部に、第２湾曲部３８が肩部に相当し、下方で順次拡大して解放された形態となる。
【００１８】
鉤受け部２２は、鉤部１０に向き合う半円弧状で鉤部１０の一部が嵌められる嵌め込み溝２４ｇを有する溝状円弧部２４と、溝状円弧部２４を支える逆Ｕ字形の支持部２６と、を備える。
溝状円弧部２４は、湾曲状の支持部２６に支持された状態で鉤部１０に沿って位置し、鉤部１０の一部を収容しているので、鉤部１０は、溝状円弧部２４に確実に掛けられて高い精度で位置決めされやすい。支持部２６は、整合部２０の両方の下端２０ｂから中央部２２ｃに掛けて半円環状に位置し、整合部２０の内側（溝状円弧部２４の下方、載置部３０の外周側）において骨格的に配置されている。したがって、整合部２０の機械的な強度を確保しやすい。
溝状円弧部２４は、鉤部１０の頂部１６に向き合う中央部２２ｃから鉤部１０が有する逆Ｕ字型の途中で終端する整合部２０の下端２０ｂまで、逆Ｕ字形に位置する。中央部２２ｃは、鉤部１０が有する頂部１６の下側を支持し、下端２０ｂに近い位置では、嵌め込み溝２４ｇは、向き合う鉤部１０の断面の略半分が嵌められるように鉤部１０を側部にかけて収容する。嵌め込み溝２４ｇは、溝状円弧部２４の円弧の外周に沿って凹状となっている。中央部２２ｃでは、嵌め込み溝２４ｇは、底部のみの浅い形状とされている。
【００１９】
溝状円弧部２４の中央部２２ｃは、上方に突出して鉤部１０を両側から挟持する挟持部２８を備える。
鉤受け部２２は、溝状円弧部２４が有する挟持部２８で鉤部１０を両側（第１ハンガーバー５の長さ方向における両側）から位置決めして固定するので更に確実に鉤部１０を保持でき、鉤部１０は、安定した状態で鉤受け部２２に掛けられる。つまり、挟持部２８は、溝状円弧部２４の中央部２２ｃで鉤部１０の両側に向き合って上方に突出して確実に鉤部１０を挟むので、鉤部１０は鉤受け部２２から外れにくい。
【００２０】
整合部２０は、第１ハンガーバー５の長さ方向と交差して外側に位置する板状の外壁２０ｗを有する。整合部２０は、第１ハンガーバー５の長さ方向に位置する板状の外壁２０ｗで挟まれた厚みを有する形態であるので、強度と精度を確保しやすい。
外壁２０ｗは、表面が平坦で、周囲への影響を抑制しやすい。支持部２６は、正面視（第１ハンガーバー５の長さ方向に沿う方向。図２（Ａ）の状態）で半円状（逆Ｕ字型）に幅を持たせた半円環状であり、第１ハンガーバー５の長さ方向の両側を外壁２０ｗによって保護されている。溝状円弧部２４が構成する嵌め込み溝２４ｇの外側は、第１ハンガーバー５の長さ方向でそのまま外壁２０ｗを形成する（図２（Ｂ））。
載置部３０の第１湾曲部３４、第２湾曲部３８、疑似矩形部４２は、支持部２６から下方に板状に延長され、外壁２０ｗを構成する。また、第１湾曲部３４、第２湾曲部３８、疑似矩形部４２は、厚み方向となる第１ハンガーバー５の長さ方向で互いに向き合う２枚の板状に位置して外壁２０ｗの一部（載置部３０）を構成する。
【００２１】
図３〜図５を参照してハンガーバー増設装置１における第１ハンガーバー５の形状に対する鉤部１０および整合部２０の作用を更に説明する。第１ハンガーバー５は、３つの互いに異なる断面形状が例示される。
図３は、鉤部１０が図２に示した整合部２０を介して第１ハンガーバー５（第１ハンガーバー５ａ）に掛けられた状態を示す模式正面図である。
図４は、鉤部１０が図２に示した整合部２０を介して第１ハンガーバー５（第１ハンガーバー５ｂ：第１ハンガーバー５ａに対する変形例１）に掛けられた状態を示す模式正面図である。
図５は、鉤部１０が図２に示した整合部２０を介して第１ハンガーバー５（第１ハンガーバー５ｃ：第１ハンガーバー５ａに対する変形例２）に掛けられた状態を示す模式正面図である。
なお、第１ハンガーバー５ａ、第１ハンガーバー５ｂ、および第１ハンガーバー５ｃを特に区別する必要がない場合は、単に第１ハンガーバー５とすることがある。
鉤部１０は、鉤受け部２２（支持部２６）に載置される。整合部２０は、鉤受け部２２の下方に載置部３０を有する。載置部３０は、第１ハンガーバー５に載置される。載置部３０は、前記したとおり、第１湾曲部３４、第２湾曲部３８、疑似矩形部４２を備える。
【００２２】
第１ハンガーバー５ａは、断面形状として例えば円筒あるいは円柱で直径φａを有する。直径φａは、第２開口幅Ｗ２より大きい。つまり、直径φａ＞第２開口幅Ｗ２である。したがって、第２湾曲部３８（載置部３０）は、開放端４２ｂから下方の領域が第１ハンガーバー５ａに当接して掛けられ、載置される。
第１ハンガーバー５ａは、直径φａが第２開口幅Ｗ２より大きい。このため、第２湾曲部３８（載置部３０）は、疑似矩形部４２の開放端４２ｂの下方において安定した状態で第１ハンガーバー５ａに当接して掛けられた状態となる。したがって、ハンガーバー増設装置１は、安定した状態を確保しやすい。
第１ハンガーバー５ｂは、断面形状として例えば筒状とされた角丸長方形（第１開口幅Ｗ１と同方向の横幅Ｗｂ、横幅Ｗｂと交差する方向の縦長さＬｂ）を有する。横幅Ｗｂは、第１湾曲部３４の第１開口部３２が有する第１開口幅Ｗ１と略等しいので位置決めされた状態で疑似矩形部４２を通過して縦長さＬｂの上方部分が疑似矩形部４２に収容され広い範囲で第１湾曲部３４に挿入され、略当接して掛けられ、載置される。
第１ハンガーバー５ｂは、第１湾曲部３４および疑似矩形部４２（載置部３０）に自己整合的に位置決めされるので、安定した状態を維持しやすい。つまり、第１湾曲部３４と疑似矩形部４２は、第１ハンガーバー５ｂに当接して掛けられた状態となる。したがって、ハンガーバー増設装置１は、安定した状態を確保しやすい。
第１ハンガーバー５ｃは、断面形状として例えば直径φｃを有する。直径φｃは、第１開口幅Ｗ１より大きく、第２開口幅Ｗ２より小さい。つまり、第１開口幅Ｗ１＜直径φｃ＜第２開口幅Ｗ２である。疑似矩形部４２が有する開放端４２ｂは、第１開口幅Ｗ１と略等しい状態となる。このため、開放端４２ｂは、第１ハンガーバー５ｃに当接して掛けられた状態となる。したがって、ハンガーバー増設装置１は、安定した状態を確保しやすい。
【００２３】
上記したとおり、ハンガーバー増設装置１は、種々の太さを有する広い範囲の第１ハンガーバー５に適用して安定した取り付けができ、増設される第２ハンガーバー６の使いやすさを向上できる。また、ハンガーバー増設装置１は、適用対象である第１ハンガーバー５の適用範囲を拡大できる。
なお、第１ハンガーバー５として第１ハンガーバー５ａ、第１ハンガーバー５ｂ、および第１ハンガーバー５ｃを例示したがこれらに限らずその他の形態であっても適用できる。整合部２０は、載置部３０を有するので、第１ハンガーバー５の断面の大きさ、形状による違い、材質による違いなどに対して幅広く対応できる。
上記したとおり、ハンガーバー増設装置１が有する載置部３０は、適用対象となる第１ハンガーバー５の適用範囲を拡大し、種々の形状を有する広い範囲の第１ハンガーバー５に適用しやすくなる。つまり、ハンガーバー増設装置１（整合部２０、載置部３０）は、第１ハンガーバー５に対する安定した取り付けがしやすいので、第２ハンガーバー６を増設しやすくなる。
【００２４】
更に具体的な構成として、整合部２０は、合成樹脂成形物であることが好ましい。この構成によれば、整合部２０は、鉤部１０および第１ハンガーバー５の両方に対して馴染みよく機能しやすいので使用感を向上しやすい。また、整合部２０は、合成樹脂の樹脂成形で形成されるので比較的容易に量産される。また、実施の形態２に示すように整合部２０の構成を更に変形することが可能となる。
【００２５】
［実施の形態２］
図６ないし図９を参照して、本実施の形態２に係るハンガーバー増設装置１およびハンガーバー設備１ｓについて説明する。本実施の形態に係るハンガーバー増設装置１は、実施の形態１に係るハンガーバー増設装置１に対して載置部３０の材質と形状を変更したものであり、他の部分は実施の形態１と同様であるので、主に載置部３０（本実施の形態では、載置部３０ｓ）について説明し、その他の部分については実施の形態１と同一の符号を付して適宜説明を省略する。また、ハンガーバー設備１ｓは、実施の形態１に係るハンガーバー設備１ｓと同様であるので説明は適宜省略する。
【００２６】
図６は、本発明の実施の形態２に係る整合部２０（変形例）を図２（Ａ）に倣って示す正面図である。なお、底面図および側面図は、実施の形態１の場合と同様であるので省略する。
実施の形態１において整合部２０は、合成樹脂成形物である場合を例示した。実施の形態２に係る整合部２０において、載置部３０ｓの硬度は、整合部２０の他の部分に比較して低い形態とすることが可能である。つまり、載置部３０ｓは、鉤受け部２２より硬度が低いことが好ましい。
第１ハンガーバー５と当接する載置部３０ｓは、鉤受け部２２に比べて柔軟性が高いことから第１ハンガーバー５に沿うように変形（図７ないし図９参照）して密着性を向上でき、安定した結合状態を確保しやすく使い勝手が良くなりやすい。
載置部３０ｓは、第１湾曲部３４ｓ、疑似矩形部４２ｓ、および第２湾曲部３８ｓを含む。なお、これらが載置部３０、第１湾曲部３４、疑似矩形部４２、および第２湾曲部３８と特に区別する必要がない場合は、単に載置部３０、第１湾曲部３４、疑似矩形部４２、第２湾曲部３８と記載することがある。
鉤受け部２２（支持部２６）は、載置部３０ｓに比べて合成樹脂の硬度が高いので鉤部１０を確実に保持しやすい。鉤受け部２２と載置部３０ｓとは、樹脂の硬度が互いに異なる異材質成形（２色成形）で成形される。合成樹脂の射出成形技術において、異材質成形は比較的容易に実現されやすい。
異材質成形の硬度境界３０ｂは、本来の支持部２６（実施の形態１）の領域内に配置することが好ましい。低硬度領域３０ｒは、硬度境界３０ｂで支持部２６に対して硬度を低くされた範囲である。第１湾曲部３４ｓ、第２湾曲部３８ｓ、および疑似矩形部４２ｓは、低硬度領域３０ｒに位置する。
【００２７】
載置部３０ｓは、第１湾曲部３４ｓ、疑似矩形部４２ｓ、および第２湾曲部３８ｓの領域内に柔軟性を調節する調節部３０ｍを有することが好ましい。
調節部３０ｍは、硬度の低い載置部３０ｓ（低硬度領域３０ｒ）の範囲内に位置するので、載置部３０ｓの柔軟性を更に調節できる。調節部３０ｍは、第１湾曲部３４ｓ、疑似矩形部４２ｓ、あるいは第２湾曲部３８ｓの領域内（低硬度領域３０ｒの範囲内）において、板厚Ｔを薄くし、あるいは板厚Ｔを無くして載置部３０ｓの変形の容易性を更に向上しやすくする。
これにより、載置部３０ｓは、容易に変形して第１ハンガーバー５に対する密着性を更に向上させ、より安定した載置をしやすくする。
【００２８】
図７ないし図９を参照してハンガーバー増設装置１における第１ハンガーバー５の形状に対する鉤部１０および整合部２０（載置部３０ｓ）の作用を更に説明する。第１ハンガーバー５は、実施の形態１（図３ないし図５）において例示した第１ハンガーバー５ａ（図７）、第１ハンガーバー５ｂ（図８）、第１ハンガーバー５ｃ（図９）である。
つまり、実施の形態２における載置部３０ｓと第１ハンガーバー５との相関状態を、図３ないし図５に倣って説明する。
鉤部１０は、鉤受け部２２（支持部２６）に載置される。整合部２０は、鉤受け部２２の下方に載置部３０ｓを有する。載置部３０ｓは、第１ハンガーバー５に載置される。載置部３０ｓは、前記したとおり（図６）、第１湾曲部３４ｓ、第２湾曲部３８ｓ、疑似矩形部４２ｓを備える。
図７は、鉤部１０が図６に示した整合部２０を介して第１ハンガーバー５ａに掛けられた状態を示す模式正面図である。
図８は、鉤部１０が図６に示した整合部２０を介して第１ハンガーバー５ｂ（変形例１）に掛けられた状態を示す模式正面図である。
図９は、鉤部１０が図６に示した整合部２０を介して第１ハンガーバー５ｃ（変形例２）に掛けられた状態を示す模式正面図である。
【００２９】
第１ハンガーバー５ａが有する直径φａは、第２開口幅Ｗ２より大きい。したがって、第２湾曲部３８ｓ（載置部３０ｓ）が第１ハンガーバー５ａに当接して掛けられ、載置された状態となる。また、第２湾曲部３８ｓより上方に位置する疑似矩形部４２ｓおよび第１湾曲部３４ｓは、低硬度領域３０ｒを有するので変形しやすい。
このため、第１ハンガーバー５ａは、第２湾曲部３８ｓに対する変形に加えて疑似矩形部４２ｓおよび第１湾曲部３４ｓに対しても圧縮力を作用させる。つまり、第１ハンガーバー５ａは、図３の場合に比較して上方へ更に深く位置することになり、整合部２０（載置部３０ｓ）は、第１ハンガーバー５ａに対して更に安定した状態を確保しやすい。
第１ハンガーバー５ｂは、筒状とされた角丸長方形で、第１湾曲部３４ｓおよび疑似矩形部４２ｓに挿入された状態となる。また、第１湾曲部３４ｓおよび疑似矩形部４２ｓは、低硬度領域３０ｒを有するので変形しやすい。
このため、第１ハンガーバー５ｂの寸法が第１湾曲部３４ｓおよび疑似矩形部４２ｓの寸法に対して多少大きくても、第１ハンガーバー５ｂは容易に第１湾曲部３４ｓおよび疑似矩形部４２ｓに挿入される。したがって、第１ハンガーバー５ｂは、載置部３０ｓに対して自己整合的に位置決めされるので、安定した状態を維持しやすい。
また、第１ハンガーバー５ｂは、第１湾曲部３４ｓを変形させて図４の場合に比較して上方へ更に深く位置することになりやすく、整合部２０（載置部３０ｓ）は、第１ハンガーバー５ｂに対して更に安定した状態を確保しやすい。
第１ハンガーバー５ｃが有する直径φｃは、第１開口幅Ｗ１より大きく、第２開口幅Ｗ２より小さい。このため、第１ハンガーバー５ｃは、第２湾曲部３８ｓから開放端４２ｂを経て疑似矩形部４２ｓおよび第１湾曲部３４ｓに圧縮力を及ぼす。
つまり、第１ハンガーバー５ｃは、第２湾曲部３８ｓ、疑似矩形部４２ｓおよび第１湾曲部３４ｓを変形させ、図５の場合に比較して載置部３０ｓに対して相互間の圧接範囲を大きくしやすい。このため、整合部２０（載置部３０ｓ）は、第１ハンガーバー５ｃに対して更に安定した状態を確保しやすい。
上記したとおり、実施の形態２に係る整合部２０（載置部３０ｓ）は、第１ハンガーバー５（第１ハンガーバー５ａ、第１ハンガーバー５ｂ、第１ハンガーバー５ｃ）に対する安定性を更に確保しやすい。
したがって、ハンガーバー増設装置１は、安定した状態を確保しやすい。
【産業上の利用可能性】
【００３０】
本発明は、第１ハンガーバーに第２ハンガーバーを増設するときに利用されるハンガーバー増設装置、および、そのようなハンガーバー増設装置が適用されたハンガーバー設備として有効に利用できる。
【符号の説明】
【００３１】
１  ハンガーバー増設装置
１ｓ  ハンガーバー設備
５、５ａ、５ｂ、５ｃ  第１ハンガーバー
６  第２ハンガーバー
１０  鉤部
１２  垂下部
１４  連結部
１６  頂部
１８  位置決め部
１９  固定部
２０  整合部
２０ｂ  下端
２０ｗ  外壁
２２  鉤受け部
２２ｃ  中央部
２４  溝状円弧部
２４ｇ  嵌め込み溝
２６  支持部
２８  挟持部
３０、３０ｓ  載置部
３０ｂ  硬度境界
３０ｒ  低硬度領域
３０ｍ  調節部
３２  第１開口部
３４、３４ｓ  第１湾曲部
３６  第２開口部
３８、３８ｓ  第２湾曲部
４０  垂直部
４２、４２ｓ  疑似矩形部
４２ｂ  開放端
Ｌｂ  縦長さ
Ｔ  板厚
Ｗ１  第１開口幅
Ｗ２  第２開口幅
Ｗｂ  横幅
φａ、φｃ  直径
【図１】
2019037296.tif 000003
【図２】
2019037296.tif 000004
【図３】
2019037296.tif 000005
【図４】
2019037296.tif 000006
【図５】
2019037296.tif 000007
【図６】
2019037296.tif 000008
【図７】
2019037296.tif 000009
【図８】
2019037296.tif 000010
【図９】
2019037296.tif 000011
【図１０】
2019037296.tif 000012
【手続補正書】
【提出日】平成29年9月25日(2017.9.25)
【手続補正１】
【補正対象書類名】特許請求の範囲
【補正対象項目名】請求項５
【補正方法】変更
【補正の内容】
【請求項５】
請求項４に記載のハンガーバー増設装置であって、
前記溝状円弧部の中央部は、上方に突出して前記鉤部を両側から挟持する挟持部を備えること
を特徴とするハンガーバー増設装置。
【手続補正２】
【補正対象書類名】特許請求の範囲
【補正対象項目名】請求項６
【補正方法】変更
【補正の内容】
【請求項６】
請求項１から請求項５までのいずれか一つに記載のハンガーバー増設装置であって、
前記整合部は、前記第１ハンガーバーの長さ方向と交差して位置する板状の外壁を有すること
を特徴とするハンガーバー増設装置。